(57)【特許請求の範囲】
【請求項１】
本体ユニットと、該本体ユニットの底面に結合されるカフユニットとからなり、これら本体ユニットとカフユニットの結合面の一方及び他方には、互いに着脱自在に係合する複数組の係合フックと係合孔が設けられ、これら係合フックと係合孔を互いに係合させることにより、前記本体ユニットとカフユニットが結合され、同時に、本体ユニット側のエア通路接続口とカフユニット側のエア通路接続口とが接続される血圧計において、
前記各係合孔は、
前記本体ユニットとカフユニットを前記結合面と直交する方向に相対移動させることにより、前記係合フックを係合孔に対し抜き差し可能にする通過孔部と、
前記係合フックを前記通過孔部に差し込んだ状態で、前記本体ユニットとカフユニットを前記結合面と平行な第１の方向に相対スライドさせることにより、前記係合フックを抜け止めする係止壁付き抜け止め孔部と、
を有しており、
前記本体ユニットとカフユニットには、前記係合フックを前記係合孔の係止壁付き抜け止め孔部に移動した状態で、本体ユニットとカフユニットが前記第１の方向とは逆の第２の方向へ移動するのを阻止するロック機構が設けられ、
更に、前記本体ユニット側のエア通路接続口とカフユニット側のエア通路接続口は、前記係合フックを係合孔に差し込んだ状態で、本体ユニットとカフユニットを前記第１の方向に相対スライドさせることにより互いに嵌合し、且つ、前記第２の方向に相対スライドさせることにより嵌合が外れるように、接続の方向が決められて設けられていることを特徴とする血圧計。
【請求項２】
前記ロック機構が、前記本体ユニットとカフユニットの結合面の一方及び他方に設けられたロック爪とロック孔の組よりなり、
前記ロック孔が、
前記本体ユニットとカフユニットを前記結合面と直交する方向に相対移動させた際に、ロック爪をその撓みを利用して受け入れる係止壁付き挿入孔部と、
前記本体ユニットとカフユニットを前記結合面と平行な前記第１の方向に相対スライドさせて、前記係合フックを係合孔の係止壁付き抜け止め孔部に挿入したとき、前記ロック爪を受け入れると共に、その状態で前記第２の方向に前記本体ユニットとカフユニットが相対移動しようとしたとき、前記係止壁付き挿入孔部の係止壁に当たることで、本体ユニットとカフユニットの前記第２の方向への移動を阻止する係止孔部と、
を有することを特徴とする請求項１に記載の血圧計。
【請求項３】
前記第１の方向と第２の方向が、前記カフユニットの軸線方向に設定されていることを特徴とする請求項１または２に記載の血圧計。
【請求項４】
前記本体ユニットの結合面に、
一端側に前記本体ユニット側のエア通路接続口としての接続口を有し、他端側に前記本体ユニット内に装備されたエアポンプ、排気弁、及び圧力センサに接続される接続口を有するエアコネクタが配設されていることを特徴とする請求項１〜３のいずれかに記載の血圧計。
【請求項５】
前記エアコネクタが、長手方向の一端に前記本体ユニット側のエア通路接続口としての接続口を有し、他端が塞がれ、外周に、前記本体ユニット内に装備されたエアポンプ及び排気弁に接続される第１接続口と、本体ユニット内に装備された圧力センサに接続される第２接続口とを有するチューブ状の部品として構成された上で、前記本体ユニットの結合面に、前記カフユニットの軸線方向と略平行に配されていることを特徴とする請求項４に記載の血圧計。
【請求項６】
前記カフユニットを構成する湾曲形状のカフスプリングの周方向略中央位置に、湾曲内面側に突出する突出部が設けられ、その突出部が設けられることによってカフスプリングの外面側に形成される凹所に前記エアコネクタが収容されていることを特徴とする請求項５に記載の血圧計。
【発明の詳細な説明】
【技術分野】
【０００１】
本発明は、本体ユニット（血圧計本体）とカフユニット（カフ帯）が一体となった手首血圧計等の血圧計に関するものである。
【背景技術】
【０００２】
本体ユニットとカフユニットが一体となった血圧計として、主に手首に装着して使用する手首血圧計が知られている。
【０００３】
手首血圧計は、本体ユニットとカフユニットからなり、本体ユニットは、血圧等を表示する表示部及び電源スイッチ等のスイッチ類を備えた本体ケースの内部に、血圧測定機能部として、エアポンプ、排気バルブ、圧力センサ等を収容した構成を有している。また、カフユニットは、硬質材料よりなるカフスプリングの内側にブラダー（空気袋）を配設し、全体を布等による外袋で覆った構成を有している。
【０００４】
この場合、ネジ等で完全に本体ユニットとカフユニットを外れないように結合したタイプのもの以外に、主にカフユニットのメンテナンスや交換のために、本体ユニットとカフユニットを着脱できるように結合したタイプのものがある。
【０００５】
特許文献１に、そのように本体ユニットとカフユニットを着脱自在に結合したタイプの手首血圧計が開示されている。
【０００６】
特許文献１に記載の手首血圧計は、本体ユニットとカフユニットの結合面に、互いに着脱自在に係合する係合フックと係合孔の組を複数設け、これら係合フックと係合孔を、係合フックの弾性を利用して互いに係合させることにより、本体ユニットとカフユニットを結合すると同時に、本体ユニット側のエア通路接続口とカフユニット側のエア通路接続口とを接続するようにしたものである。
【０００７】
【特許文献１】特開平８−１９１８０４号公報
【発明の開示】
【発明が解決しようとする課題】
【０００８】
ところで、特許文献１に記載の手首血圧計は、本体ユニットとカフユニットを、それらの結合面に直交する方向に互いに押し付けることで、係合フックを、その撓みを利用して係合孔に係合させるようにしているだけであるから、分離方向の強い力が作用した場合に、係合フックが反対側に撓んで係合が外れてしまい、不用意に本体ユニットとカフユニットが外れてしまうおそれがあった。
【０００９】
また、本体ユニット側のエア通路接続口とカフユニット側のエア通路接続口の接続を、係合フックを係合孔に差し込む動作と同時に行う必要があることから、係合フックと係合孔の位置合わせと同時にエア通路接続口の位置合わせを行わなくてはならず、取り付けが煩しくなるおそれがあった。
【００１０】
本発明は、上記事情を考慮し、本体ユニットとカフユニットをいったん結合すると外れにくくすることができると共に、エア通路の接続が容易にでき、カフユニットのメンテナンスや交換が楽にできる血圧計を提供することを目的とする。
【課題を解決するための手段】
【００１１】
請求項１の発明の血圧計は、
本体ユニットと、該本体ユニットの底面に結合されるカフユニットとからなり、これら本体ユニットとカフユニットの結合面の一方及び他方には、互いに着脱自在に係合する複数組の係合フックと係合孔が設けられ、これら係合フックと係合孔を互いに係合させることにより、前記本体ユニットとカフユニットが結合され、同時に、本体ユニット側のエア通路接続口とカフユニット側のエア通路接続口とが接続される血圧計において、
前記各係合孔は、
前記本体ユニットとカフユニットを前記結合面と直交する方向に相対移動させることにより、前記係合フックを係合孔に対し抜き差し可能にする通過孔部と、
前記係合フックを前記通過孔部に差し込んだ状態で、前記本体ユニットとカフユニットを前記結合面と平行な第１の方向に相対スライドさせることにより、前記係合フックを抜け止めする係止壁付き抜け止め孔部と、
を有しており、
前記本体ユニットとカフユニットには、前記係合フックを前記係合孔の係止壁付き抜け止め孔部に移動した状態で、本体ユニットとカフユニットが前記第１の方向とは逆の第２の方向へ移動するのを阻止するロック機構が設けられ、
更に、前記本体ユニット側のエア通路接続口とカフユニット側のエア通路接続口は、前記係合フックを係合孔に差し込んだ状態で、本体ユニットとカフユニットを前記第１の方向に相対スライドさせることにより互いに嵌合し、且つ、前記第２の方向に相対スライドさせることにより嵌合が外れるように、接続の方向が決められて設けられていることを特徴としている。
【００１２】
請求項２の発明は、請求項１に記載の血圧計であって、
前記ロック機構が、前記本体ユニットとカフユニットの結合面の一方及び他方に設けられたロック爪とロック孔の組よりなり、
前記ロック孔が、
前記本体ユニットとカフユニットを前記結合面と直交する方向に相対移動させた際に、ロック爪をその撓みを利用して受け入れる係止壁付き挿入孔部と、
前記本体ユニットとカフユニットを前記結合面と平行な前記第１の方向に相対スライドさせて、前記係合フックを係合孔の係止壁付き抜け止め孔部に挿入したとき、前記ロック爪を受け入れると共に、その状態で前記第２の方向に前記本体ユニットとカフユニットが相対移動しようとしたとき、前記係止壁付き挿入孔部の係止壁に当たることで、本体ユニットとカフユニットの前記第２の方向への移動を阻止する係止孔部と、
を有することを特徴としている。
【００１３】
請求項３の発明は、請求項１または２に記載の血圧計であって、
前記第１の方向と第２の方向が、前記カフユニットの軸線方向に設定されていることを特徴としている。
【００１４】
請求項４の発明は、請求項１〜３のいずれかに記載の血圧計であって、
前記本体ユニットの結合面に、
一端側に前記本体ユニット側のエア通路接続口としての接続口を有し、他端側に前記本体ユニット内に装備されたエアポンプ、排気弁、及び圧力センサに接続される接続口を有するエアコネクタが配設されていることを特徴としている。
【００１５】
請求項５の発明は、請求項４に記載の血圧計であって、
前記エアコネクタが、長手方向の一端に前記本体ユニット側のエア通路接続口としての接続口を有し、他端が塞がれ、外周に、前記本体ユニット内に装備されたエアポンプ及び排気弁に接続される第１接続口と、本体ユニット内に装備された圧力センサに接続される第２接続口とを有するチューブ状の部品として構成された上で、前記本体ユニットの結合面に、前記カフユニットの軸線方向と略平行に配されていることを特徴としている。
【００１６】
請求項６の発明は、請求項５に記載の血圧計であって、
前記カフユニットを構成する湾曲形状のカフスプリングの周方向略中央位置に、湾曲内面側に突出する突出部が設けられ、その突出部が設けられることによってカフスプリングの外面側に形成される凹所に前記エアコネクタが収容されていることを特徴としている。
【発明の効果】
【００１７】
請求項１の発明によれば、本体ユニットの結合面をカフユニットの結合面に接近させて押し当てながら（これを「第１の動作」と呼ぶ）、係合フックを係合孔の通過孔部に位置合わせすることにより、係合フックを通過孔部を通して係合孔に差し込むことができる。また、その差し込んだ状態で、本体ユニットとカフユニットを第１の方向に相対スライドさせることにより（これを「第２の動作」と呼ぶ）、係合フックを係止壁付き抜け止め孔部に移動させることができ、これにより、係合フックと係止壁が係合することによって、係合フックを抜け止めすることができる。
【００１８】
この段階でロック機構が作動することにより、係合フックは通過孔部に戻れなくなり、抜け止め状態が確実に維持されることになる。また、本体ユニットとカフユニットを第１の方向に相対スライドさせる動作によって、本体ユニット側のエア通路接続口とカフユニット側のエア通路接続口とを接続することができ、これにより、本体ユニットとカフユニットが完全に結合される。
【００１９】
この場合、前述の第１の動作を行った後に第２の動作を行うことにより、係合フックの抜け止めを確実にすることができるので、ロック機構が解除されない限り、強い力で本体ユニットとカフユニットを引き離そうとしても結合が外れなくなる。つまり、本体ユニットとカフユニットの間に結合面と直交する方向への離脱力が働いても、係合フックが抜け止め孔部まで入っているので、通過孔部にまで係合フックが移動しない限り抜けない。従って、係合フックが係合孔から抜けるためには、方向の違う２つの動き（第２の動作の逆の動作と第１の動作の逆の動作）を連続して起こす必要であり、いったん結合すると外れにくくなる。
【００２０】
また、係合フックを係合孔に差し込む第１の動作の次に、結合面と平行な方向に本体ユニットとカフユニットを相対スライドさせるという第２の動作を行って初めて、本体ユニット側のエア通路接続口がカフユニット側のエア通路接続口に接続されるので、係合フックのスライド動作を案内にしながら、エア通路接続口同士を接続することができ、エア回路の接続が容易にできる。即ち、本体ユニットとカフユニットの位置合わせは、係合フックと係合孔を位置合わせするときだけに必要であり、エア通路接続口同士を接続する場合は自動的に案内される動作を行うだけで接続を完了することができる。従って、本体ユニットとカフユニットの結合作業の容易化が図れる。
【００２１】
また、本体ユニットとカフユニットの結合を外す場合は、まず、ロック機構のロックを外す。そして、本体ユニットとカフユニットを第２の方向にスライドさせる。そうすると、係合フックが、係止壁付き抜け止め孔部から通過孔部に移動する。また、それと同時に、本体ユニット側のエア通路接続口がカフユニット側のエア通路接続口から外れる。従って、その状態で、本体ユニットとカフユニットを結合面と直交する引き離し方向に相対移動すれば、係合フックを係合孔から抜くことができ、本体ユニットとカフユニットの結合を解除することができる。従って、例えばカフユニットのメンテナンスや交換の際にも、本体ユニットと切り離して、簡単に作業を行うことができる。
【００２２】
請求項２の発明によれば、本体ユニットとカフユニットの結合面に、係合フックと係合
孔の組み合わせと同じように、ロック爪とロック孔の組み合わせを形成するだけで、ロック機構を構成することができるので、設計・加工の容易化を図ることができる。また、ロック孔に対するロック爪の挿入は、係合孔に対する係合フックの差し込み操作と同時に行うことができるので、操作上の面倒を生じることがない。また、ロック爪を自身の撓みを利用してロック孔の係止壁付き挿入孔部に差し込むので、係止壁とロック爪の仮係止作用を期待することができ、前述した第１の動作から第２の動作への移行をスムーズに行うことに役立つ。
【００２３】
請求項３の発明によれば、係合フックと係合孔を係脱するための本体ユニットとカフユニットのスライド動作の方向を、カフユニットの軸線方向に設定したので、軸線方向（縦方向）と直交する横方向の動きに強い結合構造を実現できる。これは、スライド動作の方向と直交する横方向には、係合フックに対する係合孔（特に係止壁付き抜け止め孔部）の遊び寸法をできるだけ小さく設定できるからである。
【００２４】
このため、例えば、実際に手首にカフユニットを取り付けて血圧計を使用する場合、手首の周りで回転させながら位置調整することが多く、その際に本体ユニットに横方向に力がかかることが多いが、そのような調整操作の際にも、ガタつきなく本体ユニットとカフユニットの結合状態を維持することができる。
【００２５】
また、縦方向に（軸線方向）スライドさせる場合、本体ユニットとカフユニットの結合面の長さを横方向よりも縦方向の方が長めに設定できることから、スライドのストロークを長めにとることができる。これは、カフユニットには、手首等に巻き付けるための軸線方向と直交する方向（横方向）への曲率があり、横方向には結合面の長さを大きくとりにくいからである。従って、スライドのストロークを長めにとれることから、係合フックと係止壁の係合幅（係合代）を大きめにとることができ、係合強さを大きくすることに貢献できる。また、本体ユニット側のエア通路接続口とカフユニット側のエア通路接続口の嵌合長さも大きくとることができるので、エア通路の接続の信頼性を増すこともできる。
【００２６】
請求項４の発明によれば、本体ユニットの結合面にエアコネクタを配し、このエアコネクタにより、本体ユニット内に装備されたエアポンプ、排気弁、及び圧力センサと、カフユニット側のエア通路とを接続するようにしたので、例えば、エアコネクタを、本体ユニット側の筐体（主に硬質樹脂製）とは違う軟質材料（軟質樹脂やゴム等）で構成することによって、エアコネクタを介して、本体側のエア通路とカフユニット側のエア通路を無理なく接続することができる。因みに、エアコネクタを備えない場合は、本体ユニットのケースに直接カフユニット側と接続するためのエア通路接続口を形成することになるが、そうすると、ケース自体が硬質樹脂で構成するのが通常であるので、そのままでは、カフユニット側のエア通路接続口と接続するのが困難となる。
【００２７】
請求項５の発明によれば、本体ユニットの結合面に、エアポンプ及び排気弁のエア通路と圧力センサのエア通路をつなぐエアコネクタを配設し、このエアコネクタの端部に、カフユニット側と接続する接続口を設けたので、本体ユニット内でのエア回路の取り回しを少なくでき、本体ユニットのコンパクト化に寄与することができる。また、パイプ状のエアコネクタの外周に、エアポンプ及び排気弁と接続するための第１接続口と、圧力センサと接続するための第２接続口とを設け、端部にカフユニット側と接続するためのエア通路接続口を設けているので、第１接続口と第２接続口の２カ所でエアコネクタを支持することができ、軟質のチューブでエアコネクタを構成した場合にも、途中で座屈せずに、端部のエア通路接続口をカフユニット側のエア通路接続口に接続することができる。
【００２８】
また、エアコネクタはカフユニットの軸線方向に配しているので、長さを長めに設定することが無理なくできる。そのため、第１接続口と第２接続口の間隔を自由に決めること
ができ、本体ユニットの内部レイアウトの設計自由度を高めることができる。
【００２９】
請求項６の発明によれば、カフスプリングの周方向略中央位置に、湾曲内面側に突出する突出部を設けたので、この突出部を、カフスプリングを手首の拍動部側に適正に合致させた状態でカフユニットを手首に巻き付けたとき、手首の拍動部内を通る２本の動脈のそれぞれに対応する位置間に位置付けすることができる。このため、本体ユニットのエアポンプからカフユニットのブラダーへ空気を送給したときに、ブラダーを、突出部の両側において適切に膨張させることができ、この膨張部分により手首の２本の動脈のそれぞれを効果的に圧迫することができて、血圧の測定精度を向上させることができる。
【００３０】
また、その突出部をカフスプリングの内面側に形成したことにより、外面側にできる凹所にエアコネクタを収容するので、無駄なスペースをとらずにエアコネクタを収容することができる。つまり、本体ユニット側にエアコネクタ用の収容空間を大きくとらないでもよくなり、本体ユニットの容積増大を抑えることができて、血圧計のコンパクト化に寄与することができる。
【発明を実施するための最良の形態】
【００３１】
以下、本発明の実施形態を図面を参照して説明する。
図１は実施形態の手首血圧計の分解斜視図、図２は同血圧計の本体ユニット内部の主要レイアウトを示す平面図、図３は図２のIII−III矢視断面図、図４は図２のIＶ矢視図、
図５は本体ユニットの下ケースの下面図、図６は同下ケースの上面図、図７は本体ユニット側の係合孔にカフユニット側の係合フックを差し込んだときの係合関係を示す図で、（ａ）は上から見た平面図、（ｂ）は（ａ）のＶIIｂ−ＶIIｂ矢視断面図、（ｃ）は（ａ）のＶIIｃ−ＶIIｃ矢視断面図、（ｄ）は（ａ）のＶIIｄ−ＶIIｄ矢視断面図、図８は本体ユニットとカフユニットを相対スライドさせることで、係合フックと係合孔を抜け止め状態に係合したときの関係を示す図で、（ａ）は上から見た平面図、（ｂ）は（ａ）のＶIIIｂ−ＶIIIｂ矢視断面図、（ｃ）は（ａ）のＶIIIｃ−ＶIIIｃ矢視断面図、（ｄ）は（ａ）のＶIIIｄ−ＶIIIｄ矢視断面図である。
【００３２】
図１に示すように、この手首血圧計は、本体ユニット（血圧計本体）Ｍ１に、手首に巻き付けるカフユニット（カフ帯）Ｍ２を一体に結合したものである。カフユニットＭ２にはブラダー（空気袋）３０が内蔵されており、ブラダー３０に空気を供給してこれを膨張させることにより、手首内を通っている動脈を圧迫し、血圧を測定する。測定結果は、本体ユニットＭ１の上面の表示部８２に表示されるので、これを測定者自身が目で見ることで測定結果を知ることができる。
【００３３】
カフユニットＭ２は、硬質材料よりなる湾曲形状のカフスプリング１０の内側に、カフスプリング１０の湾曲に沿ってブラダー（空気袋）３０を配設し、全体を布等による外袋（図示略）で覆った構成をなしている。ブラダー３０の一端には、エアの出入口であるブラダーコネクタ３１が設けられ、ブラダーコネクタ３１は、カフスプリング１０の貫通孔１７を通してカフスプリング１０の外側に突出している（図３参照）。ブラダーコネクタ３１には、カフスプリング１０の軸線方向の矢印Ｂ側を向いたエア通路接続口３１ａが設けられている。
【００３４】
カフスプリング１０は、それぞれ周方向の一部に開口１１ａ、１２ａ（図４参照）を有した大径と小径の２つのＣ環型のスプリング部１１、１２を持ち、２つのスプリング部１１，１２は、開口１１ａ、１２ａの反対側の部分１１ｂ、１２ｂがマウント部１３としてつながっている。そして、このマウント部１３の外面が、本体ユニットＭ１との結合面になっており、このマウント部１３の外面（結合面）に、その内面側に突出するアーチ状の突出部１４ａが設けられることで、エアコネクタ４０（後述）の収容される凹所１４が設
けられている。
【００３５】
この凹所１４は、カフスプリング１０の軸線方向に沿って設けられており、軸線方向の両端部と中間部２箇所の４つのリブ１６、１５で補強されている。中間部のリブ１５には、エアコネクタ４０を収容する円弧状の切欠がある。前記のブラダーコネクタ３１の突出する貫通孔１７は、軸方向の一端側に寄った位置に設けられている。
【００３６】
また、カフスプリング１０のマウント部１３の外面（結合面）には、長方形の４つの頂点に位置させて係合フック１８が突設されている。各係合フック１８の先端の爪の向きはすべて外向きとなっている。また、これら４つの係合フック１８とは別に、係合フック１８と同様の形状の１個のロック爪１９が突設されている。このロック爪１９の先端の爪の向きは内向きとなっている。
【００３７】
なお、係合フック１８の個数は、結合面にバランスよく複数個が配置されていば、いくつでもよく、３個の係合フック１８と１個のロック爪１９を長方形の４つの頂点に位置させて配置してもよい。また、先端の爪の向きも特に限定されない。
【００３８】
一方、本体ユニットＭ１は、下ケース５０及び上ケース８０よりなる筐体内部に、血圧測定機能部品であるエアポンプ６１、排気弁６２、圧力センサ６３、基板ユニット７０等を内蔵したものとして構成されている。圧力センサ６３は基板ユニット７０の回路基板７１の下面に取り付けられており、回路基板７１の上面には、液晶等の表示パネル７２やスイッチ類７３が取り付けられている。そして、上ケース８０を下ケース５０に合体させることで、スイッチ類７３は操作部８３の下に位置し、表示パネル７２は表示窓８２の下に位置するようになっている。
【００３９】
下ケース５０は、底壁がカフスプリング１０の外面の湾曲に合わせてアーチ状に湾曲した箱型のケース本体５１を有しており、その底壁には、エア回路を接続するための２つのポートが設けられている。１つのポートは、圧力センサ６３に接続されるエアコネクタ４０の第２接続口４１を突出させるための貫通孔５４として設けられている。また、もう１つのポートは、エアポンプ６１や排気弁６２に接続されるエア通路接続部５２として設けられている。このエア通路接続部５２の下側には、エアコネクタ４０の第１接続口４２と接続するプラグ状の下側接続口５２ａが突設され、上側にはエア回路と接続するプラグ状の上側接続口５２ｂが突設されている。この上側接続口５２ｂは、Ｔ字型チューブ６８を介して、エアポンプ６１及び排気弁６２の両エア接続口６１ａ、６２ａと接続される。
【００４０】
また、下ケース５０の底壁の下面は、カフユニットＭ２との結合面となっており、その結合面には、エアコネクタ４０を収容するエアコネクタ収容溝５３が設けられている。エアコネクタ４０の上半分は、この収容溝５３に嵌まる。
【００４１】
エアコネクタ４０は、本体ユニットＭ１の下ケース５０の下面（結合面）に装着されるもので、長手方向の一端に本体ユニットＭ１側のエア通路接続口４０ａとなる開口を有し、他端が塞がれ、外周に、本体ユニットＭ１内に装備されたエアポンプ６１及び排気弁６２に接続される第１接続口４２と、本体ユニットＭ１内に装備された圧力センサ６３に接続される第２接続口４１とを有する、軟質樹脂製のパイプ状の部品として構成されている。このエアコネクタ４０は、カフユニットＭ２の軸線方向と略平行に配されており、前記のエア通路接続口４０ａが、矢印Ｂ方向と反対の矢印Ａ方向を向いている。
【００４２】
そして、本体ユニットＭ１側のエア通路接続口４０ａとカフユニットＭ２側のエア通路接続口３１ａが、本体ユニットＭ１をカフユニットＭ２に対して矢印Ａ方向（第１の方向）にスライドさせることにより互いに嵌合し、且つ、矢印Ｂ方向（第２の方向）にスライ
ドさせることにより嵌合が外れるように設定されている。
【００４３】
また、下ケース５０の底壁には、カフユニットＭ２側の係合フック１８及びロック爪１９が着脱自在に係合する係合孔５８及びロック孔５９が形成されている。本体ユニットＭ１とカフユニットＭ２は、これら係合フック１８と係合孔５８を互いに係合させ、ロック爪１９とロック孔５９を互いに係合させることにより結合される。
【００４４】
各係合孔５８は、図５、図６に示すように、本体ユニットＭ１とカフユニットＭ２を結合面と直交する方向に相対移動させることにより、係合フック１８を係合孔５８に対し抜き差し可能にする通過孔部５８ａと、係合フック１８を通過孔部５８ａに差し込んだ状態で、本体ユニットＭ１とカフユニットＭ２を結合面と平行な第１の方向（本体ユニットＭ１にとって矢印Ａ方向）に相対スライドさせることにより、係合フック１８を抜け止めする係止壁５８ｂ付き抜け止め孔部５８ｃと、を有している。
【００４５】
カフユニットＭ２側のロック爪１９と本体ユニットＭ１側のロック孔５９は、係合フック１８を係合孔５８の係止壁５８ｂ付き抜け止め孔部５８ｃに移動した状態で、本体ユニットＭ１とカフユニットＭ２が第１の方向とは逆の第２の方向（本体ユニットＭ１にとっては矢印Ｂ方向）へ移動するのを阻止するロック機構を構成している。
【００４６】
ロック孔５９は、本体ユニットＭ１とカフユニットＭ２を結合面と直交する方向に相対移動させた際に、ロック爪１９をその撓みを利用して受け入れる係止壁５９ｂ付き挿入孔部５９ａと、本体ユニットＭ１とカフユニットＭ２を結合面と平行な第１の方向（本体ユニットＭ１にとっては矢印Ａ方向）に相対スライドさせて、係合フック１８を係合孔５８の係止壁５８ｂ付き抜け止め孔部５８ｃに挿入したとき、ロック爪１９を受け入れると共に、その状態で第２の方向（本体ユニットＭ１にとっては矢印Ｂ方向）に本体ユニットＭ１とカフユニットＭ２が相対移動しようとしたとき、係止壁５９ｂ付き挿入孔部５９ａの係止壁５９ｂに当たることで、本体ユニットＭ１とカフユニットＭ２の第２の方向（本体ユニットＭ１にとっては矢印Ｂ方向）への移動を阻止する係止孔部５９ｃと、を有している。
【００４７】
なお、第１の方向と第２の方向は、カフユニットＭ２の軸線方向と略平行に設定されており、図中の矢印Ａは本体ユニットＭ１にとっての第１の方向、図中の矢印Ｂは本体ユニットＭ１にとっての第２の方向を表している。
【００４８】
次に作用を説明する。
まず、本体ユニットＭ１を組み立てる場合は、下ケース５０の内部にエアポンプ６１や排気弁６２を配置して、Ｔ字型チューブ６８により、エア接続部５２の上側接続口５２ｂと、エアポンプ６１及び排気弁６２の両接続口６１ａ、６２ａとをつなぐ。
【００４９】
次に、圧力センサ６３の付いた基板ユニット７０をその上にセットし、更にその上から上ケース８０を被せて、下ケース５０とネジ等で合体させる。なお、あらかじめ基板ユニット７０を、上ケース８０の下面に取り付けておいてもよい。
【００５０】
次いで、下ケース５０の下面にエアコネクタ４０を配置し、エアコネクタ４０の第１接続口４２を、下ケース５０のエア接続部５２の下側接続口５２ｂに嵌めると共に、エアコネクタ４０の第２接続口４１を、下ケース５０の貫通孔５４を通して圧力センサ６３の接続口６３ａに嵌める。こうすることで、エアコネクタ４０が下ケース５０の下面のエアコネクタ収容溝５３に嵌まり、エアコネクタ４０のエア通路接続口４０ａが、矢印Ａ方向を向いてセットされる。そして、これにより本体ユニットＭ１が組み上がる。
【００５１】
次に本体ユニットＭ１をカフユニットＭ２と結合する場合について述べる。
その場合は、本体ユニットＭ１の結合面（下ケース５０の下面）をカフユニットＭ２の結合面（カフスプリング１０のマウント部１３の上面）に接近させて押し当てながら（これを「第１の動作」と呼ぶ）、図７に示すように、係合フック１８を係合孔５８の通過孔部５８ａ（図５、図６参照）に位置合わせすることにより、係合フック１８を通過孔部５８ａを通して係合孔５８に差し込む。同時に、ロック爪１９を、その撓みを利用して、ロック孔５９の係止壁５９ｂ付き挿入孔部５８ａに差し込む。
【００５２】
次いで、その差し込んだ状態で、本体ユニットＭ１を、カフユニットＭ２に対し矢印Ａ方向にスライドさせる（これを「第２の動作」と呼ぶ）。そうすると、係合フック１８を係止壁５８ｂ付き抜け止め孔部５８ｃ（図５、図６参照）に移動させることができ、これにより、係合フック１８と係止壁５８ｂが係合することによって、係合フック１８を抜け止めすることができる。
【００５３】
また、この段階でロック爪１９が係止孔部５９ｃに移動し、ロック爪１９が係止壁５９ｂと当たることで、矢印Ｂ方向に本体ユニットＭ１が戻るのを阻止する。つまり、係合フック１８は通過孔部５８ａに戻れなくなり、抜け止め状態が確実に維持されることになる。
【００５４】
また、本体ユニットＭ１をカフユニットＭ２に対して矢印Ａ方向にスライドさせる動作によって、本体ユニットＭ１側のエア通路接続口４０ａとカフユニットＭ２側のエア通路接続口３１ａとを接続することができ、これにより、本体ユニットＭ１とカフユニットＭ２が完全に結合される。
【００５５】
この場合、前述の第１の動作を行った後に第２の動作を行うことにより、係合フック１８の抜け止めを確実にすることができるので、ロック爪１９とロック孔５９の係合が解除されない限り、強い力で本体ユニットＭ１とカフユニットＭ２を引き離そうとしても結合が外れなくなる。つまり、本体ユニットＭ１とカフユニットＭ２の間に結合面と直交する方向への離脱力が働いても、係合フック１８が抜け止め孔部５８ｃまで入っているので、通過孔部５８ａにまで係合フック１８が移動しない限り抜けない。従って、係合フック１８が係合孔５８から抜けるためには、方向の違う２つの動き（第２の動作の逆の動作と第１の動作の逆の動作）を連続して起こす必要であり、いったん結合すると外れにくくなる。
【００５６】
また、係合フック１８を係合孔５８に差し込む第１の動作の次に、結合面と平行な方向に本体ユニットＭ１とカフユニットＭ２を相対スライドさせるという第２の動作を行って初めて、本体ユニットＭ１側のエア通路接続口４０ａがカフユニットＭ２側のエア通路接続口３１ａに接続されるので、係合フック１８のスライド動作を案内にしながら、エア通路接続口４０ａ、３１ａ同士を接続することができ、エア回路の接続が容易にできる。即ち、本体ユニットＭ１とカフユニットＭ２の位置合わせは、係合フック１８と係合孔５８を位置合わせするときだけに必要であり、エア通路接続口４０ａ、３１ａ同士を接続する場合は自動的に案内される動作を行うだけで接続を完了することができる。従って、本体ユニットＭ１とカフユニットＭ２の結合作業の容易化が図れる。
【００５７】
また、本体ユニットＭ１とカフユニットＭ２の結合を外す場合は、まず、ロック爪１９とロック孔５９の係合を外す。その方法としては、ロック爪１９の付いているカフスプリング１０を内側（径が小さくなる方向）に強めの力で撓ませる。そうすると、ロック爪１９の先端の爪の向きが内側となっているので、その先端の爪が外側に変位して係止壁５９ｂから外れる。そこで、カフスプリング１０をそのまま撓ませつつ、ロック爪１９をロック孔５９から抜き、同時に、本体ユニットＭ１とカフユニットＭ２を第２の方向（本体ユ
ニットＭ１にとっては矢印Ｂ方向）にスライドさせる。
【００５８】
そうすると、係合フック１８が、係止壁５８ｂ付き抜け止め孔部５８ｃから通過孔部５８ａに移動する。また、それと同時に、本体ユニットＭ１側のエア通路接続口４０ａがカフユニットＭ２側のエア通路接続口３１ａから外れる。従って、その状態で、本体ユニットＭ１とカフユニットＭ２を結合面と直交する引き離し方向に相対移動すれば、係合フック１８を係合孔５８から完全に抜くことができ、本体ユニットＭ１とカフユニットＭ２の結合を解除することができる。その結果、例えばカフユニットＭ２のメンテナンスや交換の際にも、本体ユニットＭ１と切り離して、簡単に作業を行うことができる。
【００５９】
このように、カフスプリング１０を内側に強めに撓ませることで（通常の使用では行わない操作を加えることで）、ロック爪１９をロック孔５９から外すことができるので、上ケース８０を取り外さずに、つまり、上ケース８０を開かずに、本体ユニットＭ１とカフユニットＭ２を分離させることができ、取り外し作業が容易にできる。
【００６０】
因みに、通常の使用において手首にカフユニットＭ２を巻き付けるときには、カフスプリング１０に径を大きくする方向の外向きの撓み力が作用するので、ロック爪１９の先端の内向きの爪が内側に傾いて、むしろ係止壁５９ｂに強く係合することになる。従って、ロック爪１９がロック孔５９から外れる心配は全くない。
【００６１】
また、本実施形態によれば、本体ユニットＭ１とカフユニットＭ２の結合面に、係合フック１８と係合孔５８の組み合わせと同じように、ロック爪１９とロック孔５９の組み合わせを形成するだけで、ロック機構を構成することができるので、設計・加工の容易化を図ることができる。また、ロック孔５９に対するロック爪１９の挿入は、係合孔５８に対する係合フック１８の差し込み操作と同時に行うことができるので、操作上の面倒を生じることがない。また、ロック爪１９を自身の撓みを利用してロック孔５９の係止壁５９ｂ付き挿入孔部５９ａに差し込むので、係止壁５８ｂとロック爪１９の仮係止作用を期待することができ、前述した第１の動作から第２の動作への移行をスムーズに行うことに役立つ。
【００６２】
また、係合フック１８と係合孔５８を係脱するための本体ユニットＭ１とカフユニットＭ２のスライド動作の方向を、カフユニットＭ２の軸線方向に設定したので、軸線方向（縦方向）と直交する横方向の動きに強い結合構造を実現できる。これは、スライド動作の方向と直交する横方向には、係合フック１８に対する係合孔５８（特に係止壁５８ｂ付き抜け止め孔部５８ｃ）の遊び寸法をできるだけ小さく設定できるからである。
【００６３】
このため、例えば、実際に手首にカフユニットＭ２を取り付けて血圧計を使用する場合、手首の周りで回転させながら位置調整することが多く、その際に本体ユニットＭ１に横方向に力がかかることが多いが、そのような調整操作の際にも、ガタつきなく本体ユニットＭ１とカフユニットＭ２の結合状態を維持することができる。
【００６４】
また、縦方向に（軸線方向）スライドさせる場合、本体ユニットＭ１とカフユニットＭ２の結合面の長さを横方向よりも縦方向の方が長めに設定できることから、スライドのストロークを長めにとることができる。これは、カフユニットＭ２には、手首等に巻き付けるための軸線方向と直交する方向（横方向）への曲率があり、横方向には結合面の長さを大きくとりにくいからである。従って、スライドのストロークを長めにとれることから、係合フック１８と係止壁５８ｂの係合幅（係合代）を大きめにとることができ、係合強さを大きくすることに貢献できる。また、本体ユニットＭ１側のエア通路接続口４０ａとカフユニットＭ２側のエア通路接続口３１ａの嵌合長さも大きくとることができるので、エア通路の接続の信頼性を増すこともできる。
【００６５】
また、本実施形態によれば、本体ユニットＭ１の結合面に、エアポンプ６１及び排気弁６２のエア通路と圧力センサ６３のエア通路をつなぐエアコネクタ４０を配設し、このエアコネクタ４０の端部に、カフユニットＭ２側と接続するエア通路接続口４０ａを設けたので、本体ユニットＭ１内でのエア回路の取り回しを少なくでき、本体ユニットＭ１のコンパクト化に寄与することができる。また、パイプ状のエアコネクタ４０の外周に、エアポンプ６１及び排気弁６２と接続するための第１接続口４２と、圧力センサ６３と接続するための第２接続口４１とを設け、端部にカフユニットＭ２側と接続するためのエア通路接続口４０ａを設けているので、第１接続口４２と第２接続口４１の２カ所でエアコネクタ４０を支持することができ、軟質のチューブでエアコネクタ４０を構成している場合にも、途中で座屈せずに、端部のエア通路接続口４０ａをカフユニットＭ２側のエア通路接続口３１ａに容易に接続することができる。
【００６６】
また、エアコネクタ４０はカフユニットＭ２の軸線方向に配しているので、長さを長めに設定することが無理なくできる。そのため、第１接続口４２と第２接続口４１の間隔を自由に決めることができ、本体ユニットＭ１の内部レイアウトの設計自由度を高めることができる。
【００６７】
また、本実施形態によれば、カフスプリング１０の周方向略中央位置に、湾曲内面側に突出する突出部１４ａを設けたので、この突出部１４ａを、カフスプリング１０を手首の拍動部側に適正に合致させた状態でカフユニットＭ２を手首に巻き付けたとき、手首の拍動部内を通る２本の動脈のそれぞれに対応する位置間に位置付けすることができる。このため、本体ユニットＭ１のエアポンプ６１からカフユニットＭ２のブラダー３０へ空気を送給したときに、ブラダー３０を、突出部１４ａの両側において適切に膨張させることができ、この膨張部分により手首の２本の動脈のそれぞれを効果的に圧迫することができて、血圧の測定精度を向上させることができる。
【００６８】
また、その突出部１４ａをカフスプリング１０の内面側に形成したことにより、外面側にできる凹所１４にエアコネクタ４０を収容するので、無駄なスペースをとらずにエアコネクタ４０を収容することができる。つまり、本体ユニットＭ１側にエアコネクタ４０用の収容空間（エアコネクタ収容溝５３）を大きくとらないでもよくなり、本体ユニットＭ１の容積増大を抑えることができて、血圧計のコンパクト化に寄与することができる。
【００６９】
なお、上記実施形態では、ロック機構をロック爪１９とロック孔５９で構成したが、本体ユニットＭ１を矢印Ａ方向に移動した状態で矢印Ｂ方向に戻らないようにロックする機構であれば、どのようなロック機構を採用してもよい。
【００７０】
また、上記実施形態では、エアコネクタ４０に、エアポンプ６１及び排気弁６２に接続する第１接続口４２と圧力センサ６３に接続する第２接続口４１との２つの接続口を設けた場合を示したが、これら２つの接続口を１つに集約して、エアコネクタ４０をＬ字形の継手部品として構成してもよい。ただし、そうした場合は、本体ユニットＭ１の内部で、エア通路を、エアポンプ６１と、排気弁６２と、圧力センサ６３とに分岐接続しなくてはならない。
【図面の簡単な説明】
【００７１】
【図１】本発明の実施形態の手首血圧計の分解斜視図である。
【図２】同血圧計の本体ユニット内部の主要レイアウトを示す平面図である。
【図３】図２のIII−III矢視断面図である。
【図４】図２のIＶ矢視図である。
【図５】本体ユニットの下ケースの下面図である。
【図６】同下ケースの上面図である。
【図７】本体ユニット側の係合孔にカフユニット側の係合フックを差し込んだときの係合関係を示す図で、（ａ）は上から見た平面図、（ｂ）は（ａ）のＶIIｂ−ＶIIｂ矢視断面図、（ｃ）は（ａ）のＶIIｃ−ＶIIｃ矢視断面図、（ｄ）は（ａ）のＶIIｄ−ＶIIｄ矢視断面図である。
【図８】本体ユニットとカフユニットを相対スライドさせることで、係合フックと係合孔を抜け止め状態に係合したときの係合関係を示す図で、（ａ）は上から見た平面図、（ｂ）は（ａ）のＶIIIｂ−ＶIIIｂ矢視断面図、（ｃ）は（ａ）のＶIIIｃ−ＶIIIｃ矢視断面図、（ｄ）は（ａ）のＶIIIｄ−ＶIIIｄ矢視断面図である。
【符号の説明】
【００７２】
Ｍ１    本体ユニット
Ｍ２    カフユニット
Ａ      第１の方向
Ｂ      第２の方向
１０    カフスプリング
１４    凹所
１４ａ  突出部
１８    係合フック
１９    ロック爪（ロック機構）
３１ａ  カフユニット側のエア通路接続口
４０    エアコネクタ
４０ａ  本体ユニット側のエア通路接続口
４１    第２接続口
４２    第１接続口
５８    係合孔
５８ａ  通過孔部
５８ｂ  係止壁
５８ｃ  抜け止め孔部
５９    ロック孔（ロック機構）
５９ａ  挿入孔部
５９ｂ  係止壁
５９ｃ  係止孔部
６１    エアポンプ
６２    排気弁
６３    圧力センサ
【図１】
0005007193.tif 000002
【図２】
0005007193.tif 000003
【図３】
0005007193.tif 000004
【図４】
0005007193.tif 000005
【図５】
0005007193.tif 000006
【図６】
0005007193.tif 000007
【図７】
0005007193.tif 000008
【図８】
0005007193.tif 000009